(57)【要約】      （修正有）【課題】楽な姿勢で、また使用時に手で固定できるので安定性が良く、容易に、しかも確実に角質を除去することができる足の角質除去具を提供する。【解決手段】枠体１は、前板２、後板に対して左右の側板４、４を高く設定した略四角形の枠状に形成してある。枠体１内には、凸湾曲状の上面６Ａを側板４より低く位置させた状態で３枚の支持体６が配設してあり、両側板４には上方に突出する押え棒７が固着してある。枠体１上に嵌合する角質除去板８は、途中部分が支持体６の上面６Ａに当接した状態になっており、凸湾曲状の表面には多数の微小突起８Ｄが形成してある。【選択図】図１
0003177706.tif 000002
【実用新案登録請求の範囲】
【請求項１】
前板、後板及び左右の側板からなる略四角形の枠体と、凸湾曲状の上面を前記前、後板より高く位置させた状態で該枠体内に配設した支持体と、上方に突出するように前記側板に設けた押え棒と、四辺を前記前板、後板及び左右の側板に係着し、途中部分を前記支持体の上面に当接させた状態で前記枠体上に配設し、略全面に多数の微小孔と微小突起を形成した角質除去板とから構成してなる足の角質除去具。
【考案の詳細な説明】
【技術分野】
【０００１】  本考案は、入浴、シャワーの際に，又はその後に足の角質を除去して足裏を綺麗にするために用いる足の角質除去具に関する。
【背景技術】
【０００２】  足の踵や側面の皮膚は空気の乾燥や脂質の不足により硬くなって角質が形成される。そこで、この角質を除去するため、足を洗う際に湯に足を漬けて角質を軟らかくし、洗剤を付けて軽石で擦るといった方法を行っている。また、足裏を擦る用具として、床に設置する基体１の上面に、一対の平坦面２と、平坦面２の両側に起立する立上面３を形成し、各面２、３に弾力性のある毛を植設すると供に、基体１に上下に貫通する貫通孔４を設けて構成し、足の裏や側面に付着した垢や汚れを毛の摩擦で摺り落とすようにした足洗いマットが提案されている（特許文献１）。
【先行技術文献】
【特許文献】
【０００３】
【特許文献１】  特開平９−１４０６１６号公報
【考案の開示】
【考案が解決しようとする課題】
【０００４】  しかし、上述した軽石を用いる従来技術は、体を前屈みの姿勢にしなければならないために体も腕も疲れる、足裏の角質を隅々まで擦って除去するのは難しいという欠点がある。また、特許文献１の足洗いマットは、植設した毛は弾力性があり、足裏の汚れは除去できるとしても角質を除去することはできないし、使用時に基体１を固定する手段を設けていないので動いてしまう可能性もあって不安定感を使用者に与えるという欠点がある。【０００５】  本考案は上述した従来技術の未解決の問題点に鑑みなされたもので、楽な姿勢で、また使用時に手で固定できるので安定性が良く、容易に、しかも確実に角質を除去することができる足の角質除去具を提供することを目的とする。
【課題を解決するための手段】
【０００６】  上述した課題を解決するために構成した本考案の手段は、前板、後板及び左右の側板からなる略四角形の枠体と、凸湾曲状の上面を前記前、後板より高く位置させた状態で該枠体内に配設した支持体と、上方に突出するように前記側板に設けた押え棒と、四辺を前記前板、後板及び左右の側板に係着し、途中部分を前記支持体の上面に当接させた状態で前記枠体上に配設し、略全面に多数の微小孔と微小突起を形成した角質除去板とからなる。
【考案の効果】
【０００７】  本考案は上述した如く構成したから、下記の諸効果を奏する。
（１）手で押え棒を持ち、枠体を固定した状態にして足裏、足の側面を角質除去板に前後方向に擦り付けて使用するようにしたから、屈む必要も無いので体が楽であるし、健常者はもとより高齢者、肥満者、膝や腰の屈曲が不自由な者も容易に、確実に角質を除去することができる。また、介護者の手助けが無くても一人で使用することができる。
（２）角質除去板は凸湾曲状に形成してあるから、踵だけでなく土踏まず、足指の付け根など足裏全面の任意の場所を角質除去板に擦り付けて角質を除去することができる。
【図面の簡単な説明】
【０００８】
【図１】本考案の実施の形態に係る足の角質除去具の外観斜視図である。
【図２】足の角質除去具の正面図である。
【図３】図２中のＩＩＩ−ＩＩＩ矢示方向拡大断面図である。
【図４】足の角質除去具の一部を破断にして示す拡大平面図である。
【図５】角質除去板の部分拡大断面図である。
【図６】足裏に使用する状態の正面図である。
【図７】足裏に使用する状態の背面図である。
【図８】踵の角質を除去する状態の説明図である。
【図９】足指の付け根の角質を除去する状態の説明図である。
【考案を実施するための形態】
【０００９】  以下、本考案の実施の形態を図面に基づき詳述する。図において、１は枠体を示す。２，３は該枠体１を構成し、横長四角形に形成した前板及び後板、４、４は該前板２及び後板３の両端に連結した左右の側板で、該各側板４は上面４Ａが前板２及び後板３より上方に突出した平板からなり、前板２、後板３及び左右の側板４、４によって枠体１は平面視で横長の四角形に構成してある。そして、枠体１は合成樹脂材により一体成形してあり、下面にはゴム製などの滑り止め体５が貼着してある。
【００１０】  ６、６、６は前記枠体１内に横方向に離間して側板４と平行に配設した３枚の支持体を示す。該各支持体６は上面６Ａを凸湾曲面に形成した平板からなり、該上面６Ａは左右の側板４より低く設定してあり、後述する角質除去板８の途中部分を支持するものである。
【００１１】  ７は左右の側板４、４に固着した押え棒で、該押え棒７は上端側７Ａを略逆Ｖ字状に屈曲形成し、略ハ字状に伸びる下端側７Ｂ、７Ｂを側板４に固着することにより、枠体１を確実に保持できるようにしてある。押え棒７の高さは使用時に前屈みにならず、また高すぎて固定力が弱くならない高さ約４０〜５０ｃｍの高さが適切である。なお、押え棒７は使用者の身長の違いによる押える際の手の高さに合わせることができるように、伸縮可能に構成してもよい。
【００１２】  ８は枠体１の上端に嵌着した角質除去板を示す。該角質除去板８は四角形の金属板、例えばステンレス板に裏面８Ａから表面８Ｂにかけてプレスすることにより多数の微小孔８Ｃを打ち抜き、表面８Ｂ側に多数の微小突起８Ｄを突出形成したものからなり、表面８Ｂを凸湾曲状に形成してある。そして、角質除去板８は四辺を枠体１の前板２、後板３及び左右側板４、４に嵌合し、途中部分は各支持体６の上面６Ａに当接した状態で枠体１に嵌脱可能に嵌着してあり、左右両端側が起立した正面視で扁平Ｕ字状をなしている。
【００１３】  本実施の形態に係る足の角質除去具は上述の構成からなり、使用時には押え棒７を手で掴んで枠体１を固定した状態にし、図６乃至図９に示すように、足裏、踵、側面、足指の付け根などの角質部分を角質除去板８の表面８Ｂに前後方向に擦り付けることで、角質は多数の微小突起８Ｄによって容易に、かつ確実に剥離して除去することができる。
【００１４】  この場合、角質除去板８は表面８Ｂを凸湾曲面に形成してあるから、除去したい角質部分を角質除去板８に確実に擦り付けることができる。また、角質除去板８は左右両側が立上ることで湾曲面をなしているから、足の横側も確実に擦ることができる。
【００１５】  角質除去板８の微小突起８Ｄによって剥離した角質は微小孔８Ｃから下方に落下するので、微小突起８Ｄによる除去効果を長く保持することができる。しかも、角質除去板８は枠体１に嵌脱可能に嵌合してあるから、取り外して洗浄することもできる。
【００１６】  なお、本実施の形態では、枠体１を構成する左右の側板４、４は前板２及び後板３より高く設定することで角質除去板８が正面視で扁平Ｕ字状になるようにしたが、左右の側板４、４は前板２及び後板３と同じ高さに設定してもよい。この場合は、角質除去板８は途中部分が支持体６に支持されて前後側に凸湾曲状をなし、左右方向には平坦な蒲鉾形をなしている。
【００１７】  また、角質除去板８は金属板の他に、硬質合成樹脂財で形成してもよい。
【符号の説明】
【００１８】１      枠体
２      前板
３      後板
４      側板
５      すべり止め
６      支持体
６Ａ    上面
７      押え棒
８      角質除去板
８Ｂ    表面
８Ｄ    微小突起
【図１】
0003177706.tif 000003
【図２】
0003177706.tif 000004
【図３】
0003177706.tif 000005
【図４】
0003177706.tif 000006
【図５】
0003177706.tif 000007
【図６】
0003177706.tif 000008
【図７】
0003177706.tif 000009
【図８】
0003177706.tif 000010
【図９】
0003177706.tif 000011